(57)【要約】 【課題】  本発明は、クリアファイルにクリアファイルと同形のポケットとその２倍大の透視可能な大型ポケットの双方を有するクリアファイルを新規に提供することを課題にしている。【解決手段】  本発明は、表，裏シートの内面とポケットの外面に双方を合わせた形状の大きな透明シートを当て、背すじとの間を非溶着にして溶周着して、クリアファイルを開くと大きな透明シートの背すじから離れた拡がりによりポケットの２倍大の透明な大型ポケットが得られるようにして課題を解決する。【選択図】図１
2018075731.tif 000002
【特許請求の範囲】
【請求項１】
背すじを挟んでつながる表裏シートの間に１乃至複数枚のポケットを挟み入れ、背すじにて溶着綴じしてなるクリアファイルにおいて、表シートまたは裏シートの内面と向き合うポケット面に双方を合わせた形状の大きな透明シートを当て、背すじとの間を非溶着にして溶周着し、クリアファイルを開くと背すじから大きな透明シートの離れ拡がりにて表シートまたは裏シートまたはその双方の内側に溶着綴じしたポケットの２倍大の透視可能な大型ポケットが得られるようにしたことを特徴とする透視可能な大型ポケット付きのクリアファイル。
【請求項２】
大きな透明シートは閉じた際にスムースに折り畳まれるように背すじに合わせて折目を設ける請求項１に記載の透視可能な大型ポケット付きのクリアファイル。
【請求項３】
大型ポケットを２乃至複数個にて連設した請求項１または２に記載の大型ポケット付きのクリアファイル。
【発明の詳細な説明】
【技術分野】
【０００１】
この発明はクリアファイルを開くと２倍大の大型ポケットが透視可能において得られるようにした大型ポケット付きのクリアファイルに関するものある。
【背景技術】
【０００２】
この種のクリアファイルとしては、表装紙と最内のポケットフィルムとの間で表装紙大の大型ポケット７を設けたことを記載した実用新案登録第３１４４４２６号公報と、背すじ９を挟んで内側に出し入れ口を有す左右のポケット５，５を設けたことを記載した特開平９−３９４５８号公報とおよび、第１袋体３に第２袋体４を折畳み展開するように連接したことを記載した実用新案登録第３０３３９３７号公報がある。
【先行技術文献】
【特許文献】
【０００３】
【特許文献１】登録実用新案第３１４４４２６号公報
【特許文献２】特開平９−３９４５８号公報
【特許文献３】登録実用新案第３０３３９３７号公報
【発明の開示】
【発明が解決しようとする課題】
【０００４】
しかしながら、特許文献１の大型ポケットはクリアファイルより大きい書類等資料を折らずに収納することができるものの透視することができないという課題があり、特許文献２は、２倍大の資料を折らずに出し入れするという構成に欠けているという課題があり、特許文献３は、第２袋体４が展開時にファイル外に大きく張り出すという課題がある。
【課題を解決するための手段】
【０００５】
本発明は、表裏シートの間にＡ４版等のポケットを挟み入れ、背すじにて溶着綴じしてなるクリアファイルを開くとＡ４版等のポケットの２倍大のＡ３版等の大型ポケットが透視可能において得られるようにして上記した各課題を解消したのである。
Ａ３版等の大きい書類などは大型ポケットの上辺の出し入れ口より折らずに簡単に出し入れすることができ、収納したときはそのまま透視して判読することができることになる。
【発明の効果】
【０００６】
本発明は、１乃至複数枚のポケットを背すじにて溶着綴りしてなるクリアファイルを開くとポケットの２倍大の大型ポケットを透視可能において形成するという効果を生ずる。
【０００７】
閉じると大型ポケットはクリアファイル内に収まるので、携帯および管理を至極便利にするという効果を生ずる。
【０００８】
Ａ３版などの大きな書類，資料を折らずに、しかも透視判読可能において収納することができるという効果を生ずる。
【０００９】
資料等は上辺の大きな出し入れ口より容易に出し入れすることができるという効果を生ずる。
【００１０】
ポケット大の大型資料を多数収納するファイルホルダ機能が充実するという効果を生ずる。
【図面の簡単な説明】
【００１１】
【図１】（ａ）は第１実施例の正面図、（ｂ）は同、表シートを開いて大きな透明シートを展開して大型ポケットが形造られた状態を示す斜視図
【図２】同、書類を入れつつある状態にて示す斜視図
【図３】第２実施例を示す斜視図
【図４】表，裏シートの両方の内面に設けた大型ポケットの半開きの状態を示す平面図
【図５】第３実施例を示すもので、（ａ）は大型ポケットの２連続、（ｂ）は同、３連続にて形成した例を半展開の状態にて示す斜視図
【発明を実施するための形態】
【００１２】
本発明は複数枚のポケットを背すじにて溶着綴じしたクリアファイルの表シートまたは裏シートの内面と向き合うポケットの外面に双方を合わせた大きな透明シートを当て、この透明シートをクリアファイルの背すじとの間を非溶着にして、左右端と下辺を表シートとポケットの外面に溶着して、クリアファイルを開くと大きな透明シートが背すじから離れて拡がることで、綴じ入れポケットの２倍大の透明な大型ポケットが得られるようにして構成する。
【実施例１】
【００１３】
図１乃至図２は本発明の第１実施例であって、クリアファイル１を形成することができるシートにて上端を出し入れ口２とするポケット３を複数枚重ねて表裏シート４，５間に挟み入れ、背すじ６にて溶着綴じしてクリアファイル１とする。ポケット３は表，裏シート４，５と同形またはやや小形にて形成する。
【００１４】
表シート４の内面と向き合うポケット３の外面に双方を合わせた形状の大きな透明シート７を当て、背すじ６との間を非溶着にして左右端と下辺を表シート４とポケット３に溶周着Ｗする。クリアファイル１を開くと大きな透明シート７が背すじ６から離れて拡がることで上端を出し入れ口８ａとするポケット３の２倍大の大型ポケット８を透視可能において形成することになる。
【００１５】
実施例はＡ４版のクリアファイル１に２倍大のＡ３版の大型ポケット８が得られるようにしているが、Ｂ５版のファイル１にＢ４版の大型ポケットなど、大小のポケット３の２倍大の大型ポケット８を備えたクリアファイルを作ることができる。
なお、大きな透明シート７は閉じたときにスムースに２つに折り畳まれるように背すじ６に合わせて折目７ａを設けることがある。
【実施例２】
【００１６】
図３は本発明の第２実施例であって、クリアファイル１の裏シート５の内面と続くポケット３の外面間に合わせた形状の大きな透明シートを当て、第１実施例と同じ要領にて溶周着Ｗして、クリアファイル１を開くと、裏シートの内側にポケット３の２倍大の透明な大型ポケット８が得られるようにしたのである。
【００１７】
図４は表，裏シート４，５の両方の内面にポケット３の２倍大の透明な大型ポケット８を形成した例を示している。
【００１８】
いずれの実施例もクリアファイル１を閉じると大型ポケット８は折目８ａにて折り畳まれてポケット３と同形のコンパクトな大きさになって携帯および管理をしやすくする。
【００１９】
このようにして、クリアファイル１は、大型ポケット８を有すことでクリアファイルより大きい契約書などのほか、２倍大の各種の説明書，パンフレット，保険契約書類Ｐなどを折らずに透視可能に収納するファイルフォルダとして便利に使用することができることとなる。
【実施例３】
【００２０】
図５（ａ）（ｂ）は本発明の第３実施例を示すもので、クリアファイル１に２連続と３連続の大型ボケット８が得られるようにしたものである。表シート４の内面の大型ポケット８に続いて２連続または３連続するように透明シート７を頁をめくるように当て溶周着Ｗして上端を出し入れ口８ａとする２連続または３連続の大型ポケット８を形成するようにしたものである。
【００２１】
このようにしてクリアファイル１は大型ポケット８が多となることでファイルホルダ機能の一層の充実がはかられることとなる。
【産業上の利用可能性】
【００２２】
本発明はクリアファイルに表裏シートと同形のポケットと、このポケットの２倍大の透視可能な大型ポケットの双方を有せしめることで広く利用されるものである。
【符号の説明】
【００２３】
１はクリアファイル
２は出し入れ口
３はポケット
４は表シート
５は裏シート
６は背すじ
７は透明シート
７ａは折目
８は大型ポケット
８ａは出し入れ口
Ｗは溶周着
Ｐはポケットの２倍大の書類等
【図１】
2018075731.tif 000003
【図２】
2018075731.tif 000004
【図３】
2018075731.tif 000005
【図４】
2018075731.tif 000006
【図５】
2018075731.tif 000007